(57)【要約】【課題】本発明は、ページに含まれている要素に精度よく色変換処理を施すことができる色変換装置、および色変換プログラムを提供することを目的とする。【解決手段】ページデータ中の、画像や文字等を表す要素データを、画像データ、文字データ、およびイラストデータの少なくとも３種類に分類する。要素データの種類ごとに色変換処理を設定し、各要素データに設定された色変換処理を施すことによって、精度のよい色変換処理を行うことができる。【選択図】        図４
2004252866.tif 000002
【特許請求の範囲】
【請求項１】
ページ上に配置される要素を表す要素データによって構成されるページデータ中の各要素データを、画像を表す画像データと、テキストを表すテキストデータと、イラストを表すイラストデータとの少なくとも３種類に分類する要素分類部と、
前記３種類のうちの少なくとも前記イラストデータについて、要素データに施される色変換処理を操作に応じて設定する色変換処理設定部と、
前記要素分類部で分類された要素データに、前記画像データ用の色変換処理、前記テキストデータ用の色変換処理、および前記イラストデータ用に前記色変換処理設定部で設定された色変換処理のうち該要素データの種類に応じた色変換処理を施す色変換部と、
前記色変換部で色変換処理が施された要素データによって構成されるページデータを出力するデータ出力部とを備えたことを特徴とする色変換装置。
【請求項２】
前記色変換処理設定部は、色変換処理の種類および／または程度を表す色変換パラメータを設定するものであり、
前記色変換部は、前記色変換処理設定部で設定された色変換パラメータが表す色変換処理を前記要素データに施すものであることを特徴とする請求項１記載の色変換装置。
【請求項３】
前記色変換処理設定部は、前記イラストデータに施される色変換処理として、画像データおよびテキストデータのそれぞれに対応する色変換処理のうちのいずれか１つを選択的に設定するものであることを特徴とする請求項１記載の色変換装置。
【請求項４】
ページ上に配置される要素を表す要素データによって構成されるページデータ中の各要素データを、画像を表す画像データと、テキストを表すテキストデータと、イラストを表すイラストデータとの少なくとも３種類に分類する要素分類部と、
前記３種類のうちの少なくとも前記イラストデータについて、要素データに施される色変換処理を操作に応じて設定する色変換処理設定部と、
前記要素分類部で分類された要素データに、前記画像データ用の色変換処理、前記テキストデータ用の色変換処理、および前記イラストデータ用に前記色変換処理設定部で設定された色変換処理のうち該要素データの種類に応じた色変換処理を施す色変換部と、
前記色変換部で色変換処理が施された要素データによって構成されるページデータを出力するデータ出力部とを備えたことを特徴とする色変換プログラム。
【発明の詳細な説明】
【０００１】
【発明の属する技術分野】
本発明は、ページを表すページデータに色変換処理を施す色変換装置、およびコンピュータを色変換装置として動作させるための色変換プログラムに関する。
【０００２】
【従来の技術】
従来より、印刷の分野において、コンピュータを利用して編集の作業を行うＤＴＰ（ＤｅｓｋＴｏｐ  Ｐｕｂｌｉｓｈｉｎｇ）が広範に適用されている。ＤＴＰは、ＷＹＳＩＷＹＧ（Ｗｈａｔ  Ｙｏｕ  Ｓｅｅ  Ｉｓ  Ｗｈａｔ  Ｙｏｕ  Ｇｅｔ＝見たままに出力する）という思想を実現するものであり、オペレータは、表示画面を見ながら文字や画像の編集を行い、印刷物のイメージを確認してから、画像等をプリンタやイメージセッタなどで印刷・製版することができる。
【０００３】
このＤＴＰにおいて、オペレータが文字や画像を編集する際に使用するソフトウェアは、一般にＤＴＰソフトウェアとよばれている。ＤＴＰソフトウェアは、オペレータによって編集された文字や画像などの要素を基に、ページごとのイメージを表現するページデータを生成する。このページデータは、このままではプリンタ等の出力デバイスで出力することができないため、ＲＩＰ（ＲａｓｔｅｒＩｍａｇｅ  Ｐｒｏｃｅｓｓｏｒ）でページデータを出力デバイスで出力可能なビットマップデータ（網点画像のデータ）に変換し、出力デバイスでは、このビットマップデータに基づく出力画像が出力される。
【０００４】
ところで、上記のＤＴＰおよびＲＩＰが適用されたシステムにおいては、ページデータが表すページに含まれる画像や文字などの要素の色を、調和のとれた見た目に好ましい色に変換する色変換処理も行われている。通常は、処理時間を短縮するために、色を表現する入力データと、その入力データに上記の色変換処理が施された出力データとの対応を定義した色変換テーブルを予め用意しておき、その色変換テーブルを使って、ページデータに色変換処理を施すことが行われている。この色変換処理に関し、特許文献１には、ページデータが表すページ中の要素が画像か文字かに応じて、その要素を表す要素データに、画像の色を補正するのに最適な画像変換テーブル、あるいは文字の色を補正するのに最適な文字変換テーブルを使って色変換処理を施す方法が記載されている。この方法によると、ページに含まれている各要素を画像と文字とに分類し、画像および文字のそれぞれに合った色変換処理を行うため、色変換後のページの画質を向上させることができる。
【０００５】
【特許文献１】
特開２００１−３２０５９５号公報
【０００６】
【発明が解決しようとする課題】
しかし、特許文献１の方法で、平網や線やグラデーションなどの要素を色変換すると、グラデーションの色の連続性が損なわれてしまうなどという問題を生じる恐れがある。色変換テーブル等を使って自動的に色変換された要素の色が、オペレータが所望する色とは違ってしまった場合、オペレータがレタッチ処理を行って、その要素の色を手動で修正する必要があり、これは大変煩雑で手間のかかる作業であるという問題がある。特に、近年では、図形などをパーソナルコンピュータ上で編集するためのソフトウェアが広く使用されており、画像や文字のほか、上述した図形やグラデーションやインデックス画像など様々な要素がページに含まれていることが多く、これらの要素に精度よく色変換処理を施したいという要望が高まっている。
【０００７】
本発明は、上記事情に鑑み、ページに含まれている要素に精度よく色変換処理を施すことができる色変換装置、および色変換プログラムを提供することを目的とする。
【０００８】
【課題を解決するための手段】
本発明の色変換装置は、ページ上に配置される要素を表す要素データによって構成されるページデータ中の各要素データを、画像を表す画像データと、テキストを表すテキストデータと、イラストを表すイラストデータとの少なくとも３種類に分類する要素分類部と、
上記の３種類のうちの少なくともイラストデータについて、要素データに施される色変換処理を操作に応じて設定する色変換処理設定部と、
要素分類部で分類された要素データに、画像データ用の色変換処理、テキストデータ用の色変換処理、およびイラストデータ用に色変換処理設定部で設定された色変換処理のうち要素データの種類に応じた色変換処理を施す色変換部と、
色変換部で色変換処理が施された要素データによって構成されるページデータを出力するデータ出力部とを備えたことを特徴とする。
【０００９】
本発明の色変換装置によると、ページデータ中の要素データは、従来の画像データおよびテキストデータに、新たにイラストデータも加えた少なくとも３種類に分類される。例えば図形やグラデーションなどのような、画像と文字の中間的な要素をイラストとして扱い、そのイラストを表すイラストデータに施される色変換処理を個別に設定することによって、精度よく色変換処理を施すことができる。
【００１０】
また、本発明の色変換装置において、上記の色変換処理設定部は、色変換処理の種類および／または程度を表す色変換パラメータを設定するものであり、
色変換部は、色変換処理設定部で設定された色変換パラメータが表す色変換処理を要素データに施すものであることが好ましい。
【００１１】
イラストデータに施される色変換処理を、色変換処理の種類および／または程度を表す色変換パラメータによって詳細に設定することにより、適切に色変換処理を行うことができる。
【００１２】
また、本発明の色変換装置において、上記の色変換処理設定部は、イラストデータに施される色変換処理として、画像データおよびテキストデータのそれぞれに対応する色変換処理のうちのいずれか１つを選択的に設定するものであってもよい。
【００１３】
本発明の色変換装置は、イラストを画像として扱うか、テキストとして扱うかを選択的に設定し、その設定に合わせた色変換処理をイラストデータに施すものであってもよい。
【００１４】
また、本発明の色変換プログラムは、ページ上に配置される要素を表す要素データによって構成されるページデータ中の各要素データを、画像を表す画像データと、テキストを表すテキストデータと、イラストを表すイラストデータとの少なくとも３種類に分類する要素分類部と、
上記の３種類のうちの少なくともイラストデータについて、要素データに施される色変換処理を操作に応じて設定する色変換処理設定部と、
要素分類部で分類された要素データに、画像データ用の色変換処理、テキストデータ用の色変換処理、およびイラストデータ用に色変換処理設定部で設定された色変換処理のうち要素データの種類に応じた色変換処理を施す色変換部と、
色変換部で色変換処理が施された要素データによって構成されるページデータを出力するデータ出力部とを備えたことを特徴とする。
【００１５】
本発明の色変換プログラムをコンピュータ内で実行させることによって、そのコンピュータを上記のような色変換装置として動作させることができる。
【００１６】
【発明の実施の形態】
以下、本発明の実施形態について説明する。
【００１７】
図１は、本発明の一実施形態が適用された画像処理システムの全体構成図である。
【００１８】
ここには、本発明の色変換装置の一実施形態として動作する１台のＤＴＰサーバ１００と、３台のクライアントマシン２００，２１０，２２０と、２台のＲＩＰ３００，３１０と、１台のスキャナ４００と、３台の画像出力用のプリンタ６００，６１０，６２０とが示されている。
【００１９】
図１に示す各マシンの中で、ＤＴＰサーバ１００、クライアントマシン２００，２１０，２２０、ＲＩＰ３００，３１０，およびスキャナ４００は通信回線５００を介して相互に接続されて、ＬＡＮ（Ｌｏｃａｌ  Ａｒｅａ  Ｎｅｔｗｏｒｋ）を構成している。また、プリンタ６００，６１０はＲＩＰ３００に接続され、プリンタ６２０はＲＩＰ３１０に接続されている。
【００２０】
スキャナ４００は、用紙上の画像を読み取り、画像を表す画像データを生成する。生成された画像データは、通信回線５００を介してクライアントマシン２００，２１０，２２０などに送られる。
【００２１】
クライアントマシン２００，２１０，２２０は、それぞれ小型のワークステーションまたはパーソナルコンピュータなどで構成されており、スキャナ４００で生成された画像データやデジタルカメラ（図示しない）で撮影された撮影画像に基づく画像データなどが入力される。クライアントマシン２００，２１０，２２０では、オペレータにより、文字や図形や入力された画像データに基づく画像等の要素を含むページが電子的に編集され、編集されたページを表すページデータが生成される。生成されたページデータは、通信回線５００を介してＤＴＰサーバ１００に送られる。
【００２２】
ＤＴＰサーバ１００は、クライアントマシン２００，２１０，２２０などと比べて大型なワークステーションまたはパーソナルコンピュータ等で構成されており、各クライアントマシン２００，２１０，２２０からページデータが送られてくると、そのページデータに後述する色変換処理を施す。ところで、このページデータは、例えばＰＤＬ（Ｐａｇｅ  Ｄｅｓｃｒｉｐｔｉｏｎ  Ｌａｎｇｕａｇｅ）等で記述された言語データであり、このままでは、プリンタ６００，６１０，６２０などの出力デバイスで出力することはできない。したがって、色変換処理が施されたページデータは、出力デバイスではなく、まずはＲＩＰ３００，３１０に送られる。
【００２３】
ＲＩＰ３００，３１０は、それぞれ小型のワークステーションまたはパーソナルコンピュータなどで構成されている。ＤＴＰサーバ１００から色変換処理が施されたページデータ送られてくると、ＲＩＰ３００，３１０はページデータに網点化処理を施して、ページデータをプリンタ６００，６１０，６２０で出力可能な網点形式のビットマップデータに変換する。変換後のビットマップデータは、プリンタ６００，６１０，６２０に入力され、プリンタ６００，６１０，６２０では、その入力されたビットマップデータに基づく出力画像が作成される。
【００２４】
ここで、クライアントマシン２００，２１０，２２０、ＲＩＰ３００，３１０、およびスキャナ４００は、本発明の主題ではないため詳細な説明を省略し、以下では、本発明の色変換装置の一実施形態であるＤＴＰサーバ１００について説明する。
【００２５】
図１に示すように、ＤＴＰサーバ１００は、外観構成上、本体装置１０１、本体装置１０１からの指示に応じて表示画面１０２ａ上に画像や文字などを表示する画像表示装置１０２、本体装置１０１にキー操作に応じた各種の情報を入力するキーボード１０３、および、表示画面１０２ａ上の任意の位置を指定することにより、その位置に表示されている例えばアイコン等に応じた指示を入力するマウス１０４を備えている。また、本体装置１０１は、外観上、フレキシブルディスク（以下、ＦＤと省略する）を装填するためのＦＤ装填口１０１ａ、およびＣＤ−ＲＯＭを装填するためのＣＤ−ＲＯＭ装填口１０１ｂを有する。
【００２６】
図２は、図１に示すＤＴＰサーバのハードウェア構成図である。
【００２７】
図１に示すＤＴＰサーバ１００の本体装置１０１の内部には、図２に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、ＦＤ１０をアクセスするＦＤドライブ１１４、ＣＤ−ＲＯＭ２０が装填され、その装填されたＣＤ−ＲＯＭ２０をアクセスするＣＤ−ＲＯＭドライブ１１５、データの入力や出力を制御するＩ／Ｏインタフェース１１６、図１の通信回線５００に接続され、他のマシンとの通信を制御する通信インタフェース１１７が内蔵されており、これらと、さらに図１にも示す画像表示装置１０２、キーボード１０３、マウス１０４は、バス１１０を介して相互に接続されている。
【００２８】
ここで、ＣＤ−ＲＯＭ２０には、本発明の色変換プログラムの一実施形態が適用され、ＤＴＰサーバ１００を本発明の色変換装置の一実施形態として動作させるための色変換プログラムが記憶されている。このＣＤ−ＲＯＭ２０はＣＤ−ＲＯＭドライブ１１５に装填され、そのＣＤ−ＲＯＭ２０に記憶された色変換プログラムがこのＤＴＰサーバ１００にアップロードされてハードディスク装置１１３に記憶される。そして、この色変換プログラムが起動されて実行されることにより、ＤＴＰサーバ１００は、本発明の色変換装置の一実施形態として動作する。
【００２９】
次に、本発明の一実施形態が適用された色変換プログラムについて説明する。
【００３０】
図３は、本発明の色変換プログラムの一実施形態が記憶されたＣＤ−ＲＯＭを示す概念図である。
【００３１】
ＣＤ−ＲＯＭ２０に記憶された色変換プログラム３０は、要素分類部３１、色変換処理設定部３２、色変換部３３、およびデータ出力部３４とで構成されている。ここで、要素分類部３１は、本発明の色変換プログラムにおける要素分類部の一例に相当し、同様に、色変換処理設定部３２は色変換処理設定部の一例に相当し、色変換部３３は色変換部の一例に相当し、データ出力部３４はデータ出力部の一例に相当する。色変換プログラム３０の各部の詳細については、図４に示す本発明の色変換装置の一実施形態が適用された色変換装置７００の各部の作用と一緒に説明する。
【００３２】
図４は、この色変換プログラム３０を図１〜図２に示すＤＴＰサーバ１００にインストールし、ＤＴＰサーバ１００を本発明の色変換装置の一実施形態として動作させるときの色変換装置７００の機能ブロック図である。
【００３３】
図４に示す色変換装置７００は、要素分類部７１０、色変換部７２０、データ出力部７３０、および色変換処理設定部７４０とを備えている。図３に示す色変換プログラムを図１〜図２に示すＤＴＰサーバ１００にインストールすると、色変換プログラム３０の要素分類部３１は図４の要素分類部７１０を構成し、色変換処理設定部３２は色変換処理設定部７４０を構成し、色変換部３３は色変換部７２０を構成し、データ出力部３４はデータ出力部７３０を構成する。
【００３４】
要素分類部７１０には、図１に示すクライアントマシン２００，２１０，２２０から、文字や図形や画像等の要素を表す要素データによって構成されたページデータが送られてくる。要素分類部７１０は、ページデータが送られてくると、そのページデータ中の各要素データを、図１のスキャナ４００で読み込まれた画像やデジタルカメラで撮影された撮影画像等の画像を表す画像データと、オペレータによって編集された文字を表す文字データと、例えばオペレータによって編集された平網やグラデーションなどのような、画像および文字以外の要素を表すイラストデータとの３種類に分類する。この要素分類部７１０は、本発明の色変換装置における要素分類部の一例に相当する。各要素データは分類された種類の情報（以下、これを種類情報と称する）が付加されて、色変換部７２０に送られる。
【００３５】
色変換処理設定部７４０は、図２のキーボード１０３およびマウス１０４がその役割を担う。本実施形態においては、色変換部７２０で行われる色変換処理の種類や程度等を表す色変換パラメータを、要素データの種類ごとに設定するための設定画面が予め用意されている。その設定画面に従い、オペレータがキーボード１０３およびマウス１０４を使って、画像データ用、文字データ用、イラストデータ用それぞれの色変換パラメータを指定すると、色変換処理設定部７４０はそれらの色変換パラメータを色変換部７２０に送る。この色変換処理設定部７４０は、本発明の色変換装置における色変換処理設定部の一例にあたる。
【００３６】
色変換部７２０には、要素分類部７１０から種類情報が付加された要素データが送られ、色変換処理設定部７４０から３種類の色変換パラメータが送られてくる。色変換部７２０は、送られてきた要素データに、その要素データの種類に対応する色変換パラメータが表す色変換処理を施す。この色変換部７２０は、本発明の色変換装置における色変換部の一例に相当する。色変換処理が施された要素データは、データ出力部７３０に送られる。
【００３７】
データ出力部７３０は、色変換部７２０から色変換処理が施された要素データが送られてくると、それらの要素データによって構成されるページデータを生成し、さらにそのページデータを図１に示すＲＩＰ３００，３１０に送る。データ出力部７３０は、本発明の色変換装置におけるデータ出力部の一例に相当する。
【００３８】
色変換装置７００は、基本的には以上のように構成されている。
【００３９】
続いて、色変換装置７００を適用して、色変換処理が施されたページデータに基づく出力画像を作成する一連の処理について説明する。
【００４０】
デジタルカメラで被写体を撮影することによって得られた撮影画像データや、スキャナ４００によって原稿画像が読み込まれて得られた画像データは、図１に示すクライアントマシン２００，２１０，２２０に入力される。オペレータは、クライアントマシン２００，２１０，２２０を使って、入力された画像データが表す画像や、文字や、その他のイラストを含むページを電子的に編集する。
【００４１】
図５は、オペレータによって編集されたページを示す図である。
【００４２】
図５に示すページ４０は、画像で形成された要素４１、文字で形成された要素４２、および線図で形成された要素４３で構成されている。クライアントマシン２００，２１０，２２０は、編集されたページ４０を表すページデータを生成し、そのページデータを図４に示す要素分類部７１０に送る。
【００４３】
要素分類部７１０は、送られてきたページデータに含まれる各要素データを、画像を表す画像データ、文字を表す文字データ、および画像と文字以外の要素を表すイラストデータの３種類に分類し、分類された要素データに種類情報を付加する。この例では、図５のページ４０を表すページデータ中の、要素４１を表す要素データが画像データに分類されて、その要素データに画像データの種類情報が付加され、要素４２を表す要素データが文字データに分類されて、その要素データに文字データの種類情報が付加され、要素４３を表す要素データがイラストデータに分類されて、その要素データにイラストデータの種類情報が付加される。種類情報が付加された各要素データは、色変換部７２０に送られる。
【００４４】
ここで、オペレータは、予め用意されている設定画面に従い、図１および図２に示すＤＴＰ１００のキーボード１０３やマウス１０４を使って、画像データ用、文字データ用、イラストデータ用それぞれの色変換パラメータを指定する。
【００４５】
図６は、図１の表示画面１０２ａ上に表示される設定画面を示す図である。ここで、以下では、図６を用いて、オペレータによって設定される色変換パラメータについて詳しく説明する。
【００４６】
図６に示す設定画面８００は、左上の“色変換エンジン”ボタン８０１と、この“色変換エンジン”ボタン８０１の下に表示される画像パラメータ設定部８０２と、この画像パラメータ設定部８０２の下に表示される、イラストパラメータ設定部８０３およびテキストパラメータ設定部８０４とで構成されている。
【００４７】
“色変換エンジン”ボタン８０１は、図４の色変換部７２０で色変換処理を行う際に使用するソフトウェアを選択するためのボタンである。この“色変換エンジン”ボタン８０１の右端の“▽印”をマウス操作によりクリックすると、選択可能な複数の項目が並んだリストボックスが表示される。
【００４８】
【表１】
2004252866.tif 000003
【００４９】
表１には、“色変換エンジン”ボタン８０１の右端の“▽印”をクリックすると表示されるリストボックスの一例が示されており、所望の色変換エンジンの項目にマウスポインタを合わせてクリックすることによって、その項目が選択される。
【００５０】
画像パラメータ設定部８０２は、画像データに施される色変換処理を表す色変換パラメータを設定するためのものであり、ＣＭＹＫパラメータ設定部８１０と、ＲＧＢパラメータ設定部８２０と、Ｇｒａｙパラメータ設定部８３０と、“レンジ補正”チェックボックス８０２＿１と、“シャープネス強度”ボタン８０２＿２と、“コントーン圧縮方法”ボタン８０２＿３と、“コントーン圧縮率”ボタン８０２＿４と、“ビットマップ圧縮方法”ボタン８０２＿５と、“解像度変換方法”ボタン８０２＿６と、“出力解像度”数値ボックス８０２＿７とで構成されている。
【００５１】
ＣＭＹＫパラメータ設定部８１０、ＲＧＢパラメータ設定部８２０、およびＧｒａｙパラメータ設定部８３０の各設定部における作用については後述する。
【００５２】
“レンジ補正”チェックボックス８０２＿１をクリックすることにより、レンジ補正機能が有効となる。
【００５３】
“シャープネス強度”ボタン８０２＿２は、シャープネス強度の程度を選択するためのボタンである。この“シャープネス強度”ボタン８０２＿２の右端の“▽印”をマウス操作によりクリックすると、選択可能な複数の項目が並んだリストボックスが表示される。
【００５４】
【表２】
2004252866.tif 000004
【００５５】
表２には、“シャープネス強度”ボタン８０２＿２の右端の“▽印”をクリックすると表示されるリストボックスの一例が示されており、所望のシャープネス強度の項目をクリックすることによって、その項目が選択される。
【００５６】
“コントーン圧縮方法”ボタン８０２＿３は、コントーン画像（連続調濃度で表現された画像）を圧縮する際の圧縮方法を選択するためのボタンである。この“コントーン圧縮方法”ボタン８０２＿３の右端の“▽印”をマウス操作によりクリックすると、選択可能な複数の項目が並んだリストボックスが表示される。
【００５７】
【表３】
2004252866.tif 000005
【００５８】
表３には、“コントーン圧縮方法”ボタン８０２＿３の右端の“▽印”をクリックすると表示されるリストボックスの一例が示されており、所望のコントーン圧縮方法の項目をクリックすることによって、その項目が選択される。この表３に示す項目の中で‘自動’を選択した場合は、色変換処理を施す画像データのサイズにより、‘ＪＰＥＧ’圧縮方式もしくは‘ＺＩＰ’圧縮方式が自動的に選択される。
【００５９】
“コントーン圧縮率”ボタン８０２＿４は、コントーン画像を圧縮する際の圧縮率の程度を選択するためのボタンである。この“コントーン圧縮率”ボタン８０２＿４の右端の“▽印”をマウス操作によりクリックすると、選択可能な複数の項目が並んだリストボックスが表示される。但し、この“コントーン圧縮率”ボタン８０２＿４は、上述した“コントーン圧縮方法”ボタン８０２＿３において、表３に示す‘自動’もしくは‘ＪＰＥＧ’を選択した場合にのみ選択できるようになっており、表３に示す‘ＺＩＰ’を選択した場合は選択できないようになっている。
【００６０】
【表４】
2004252866.tif 000006
【００６１】
表４には、“コントーン圧縮率”ボタン８０２＿４の右端の“▽印”をクリックすると表示されるリストボックスの一例が示されており、所望のコントーン圧縮率の項目をクリックすることによって、その項目が選択される。
【００６２】
“ビットマップ圧縮方法”ボタン８０２＿５は、ビットマップ画像を圧縮する際の圧縮方法を選択するためのボタンである。この“ビットマップ圧縮方法”ボタン８０２＿５の右端の“▽印”をマウス操作によりクリックすると、選択可能な複数の項目が並んだリストボックスが表示される。
【００６３】
【表５】
2004252866.tif 000007
【００６４】
表５には、“ビットマップ圧縮方法”ボタン８０２＿５の右端の“▽印”をクリックすると表示されるリストボックスの一例が示されており、所望のビットマップ圧縮方法の項目をクリックすることによって、その項目が選択される。
【００６５】
“解像度変換方法”ボタン８０２＿６は、ビットマップ画像の解像度を変更する際に使用する変換方法を選択するためのボタンである。この“解像度変換方法”ボタン８０２＿６の右端の“▽印”をマウス操作によりクリックすると、選択可能な複数の項目が並んだリストボックスが表示される。
【００６６】
【表６】
2004252866.tif 000008
【００６７】
表６には、“解像度変換方法”ボタン８０２＿６の右端の“▽印”をクリックすると表示されるリストボックスの一例が示されており、所望の解像度変換方法の項目をクリックすることによって、その項目が選択される。
【００６８】
“出力解像度”数値ボックス８０２＿７は、ビットマップ画像を出力する際の所望の出力解像度を入力するための数値ボックスである。
【００６９】
尚、この設定画面８００では、“解像度変換方法”ボタン８０２＿６および“出力解像度”数値ボックス８０２＿７は、ビットマップ画像に対して設定するように構成されているが、コントーン画像に対しても設定できるように構成するものであってもよい。
【００７０】
次に、ＣＭＹＫパラメータ設定部８１０における作用について説明する。
【００７１】
ＣＭＹＫパラメータ設定部８１０は、“入力プロファイル”ボタン８１１と、“レンダリングインテント”ボタン８１２と、“出力解像度”数値ボックス８１３と、“Ｋ版保存”チェックボックス８１４と、“０〜４次色保存”ボタン８１５と、“エンベッドプロファイル利用”ボタン８１６と、“出力プロファイル”ボタン８１７とで構成されている。
【００７２】
“入力プロファイル”ボタン８１１は、図４の要素分類部７１０から送られてきたページデータ中の画像データにおける、ＣＭＹＫ色空間で定義された画像に最適な入力プロファイルを選択するためのボタンである。この“入力プロファイル”ボタン８１１の右端の“▽印”をマウス操作によりクリックすると、選択可能な複数の項目が並んだリストボックスが表示される。
【００７３】
【表７】
2004252866.tif 000009
【００７４】
表７には、“入力プロファイル”ボタン８１１の右端の“▽印”をクリックすると表示されるリストボックスの一例が示されており、所望の入力プロファイルの項目をクリックすることによって、その項目が選択される。
【００７５】
“レンダリングインテント”ボタン８１２は、所望のレンダリングインテントを選択するためのボタンである。この“レンダリングインテント”ボタン８１２の右端の“▽印”をマウス操作によりクリックすると、選択可能な複数の項目が並んだリストボックスが表示される。
【００７６】
【表８】
2004252866.tif 000010
【００７７】
表８には、“レンダリングインテント”ボタン８１２の右端の“▽印”をクリックすると表示されるリストボックスの一例が示されており、所望のレンダリングインテントの項目をクリックすることによって、その項目が選択される。
【００７８】
“出力解像度”数値ボックス８１３は、画像を出力する際の所望の出力解像度を入力するための数値ボックスである。
【００７９】
“Ｋ版保存”チェックボックス８１４をクリックすることにより、ＣＭＹＫ色空間からＣＭＹＫ色空間に色変換を施す際にＫ版が保存される、Ｋ版保存機能が有効となる。
【００８０】
“０〜４次色保存”ボタン８１５は、ＣＭＹＫ色空間からＣＭＹＫ色空間に色変換を施す際に何色保存するかを選択するためのボタンである。この“０〜４次色保存”ボタン８１５の右端の“▽印”をマウス操作によりクリックすると、選択可能な複数の項目が並んだリストボックスが表示される。
【００８１】
【表９】
2004252866.tif 000011
【００８２】
表９には、“０〜４次色保存”ボタン８１５の右端の“▽印”をクリックすると表示されるリストボックスの一例が示されており、所望の項目をクリックすることによって、その項目が選択される。
【００８３】
“エンベッドプロファイル利用”ボタン８１６は、ページデータ中の画像データにプロファイルが埋め込まれている場合に、そのプロファイルの取り扱いを選択するためのボタンである。この“エンベッドプロファイル利用”ボタン８１６の右端の“▽印”をマウス操作によりクリックすると、選択可能な複数の項目が並んだリストボックスが表示される。
【００８４】
【表１０】
2004252866.tif 000012
【００８５】
表１０には、“エンベッドプロファイル利用”ボタン８１６の右端の“▽印”をクリックすると表示されるリストボックスの一例が示されており、所望の項目をクリックすることによって、その項目が選択される。
【００８６】
“出力プロファイル”ボタン８１７は、最適な出力プロファイルを選択するためのボタンである。この“出力プロファイル”ボタン８１７の右端の“▽印”をマウス操作によりクリックすると、選択可能な複数の項目が並んだリストボックスが表示される。
【００８７】
【表１１】
2004252866.tif 000013
【００８８】
表１１には、“出力プロファイル”ボタン８１７の右端の“▽印”をクリックすると表示されるリストボックスの一例が示されており、所望の出力プロファイルの項目をクリックすることによって、その項目が選択される。
【００８９】
また、ＲＧＢパラメータ設定部８２０は、“入力プロファイル”ボタン８２１と、“レンダリングインテント”ボタン８２２と、“出力解像度”数値ボックス８２３と、“エンベッドプロファイル利用”ボタン８２４と、“出力プロファイル”ボタン８２４とで構成されている。
【００９０】
“入力プロファイル”ボタン８２１は、図４の要素分類部７１０から送られてきたページデータ中の画像データにおける、ＲＧＢ色空間で定義された画像に最適な入力プロファイルを選択するためのボタンである。この“入力プロファイル”ボタン８２１の右端の“▽印”をマウス操作によりクリックすると、選択可能な複数の項目が並んだリストボックスが表示される。
【００９１】
【表１２】
2004252866.tif 000014
【００９２】
表１２には、“入力プロファイル”ボタン８２１の右端の“▽印”をクリックすると表示されるリストボックスの一例が示されており、所望の入力プロファイルの項目をクリックすることによって、その項目が選択される。
【００９３】
以下、ＲＧＢパラメータ設定部８２０“レンダリングインテント”ボタン８２２、“出力解像度”数値ボックス８２３、“エンベッドプロファイル利用”ボタン８２４、および“出力プロファイル”ボタン８２４の作用は、ＣＭＹＫパラメータ設定部８１０における“レンダリングインテント”ボタン８１２、“出力解像度”数値ボックス８１３、“エンベッドプロファイル利用”ボタン８１６、および“出力プロファイル”ボタン８１７の作用とそれぞれ同一であり、重複するため説明は省略する。
【００９４】
また、Ｇｒａｙパラメータ設定部８３０は、“入力プロファイル”ボタン８３１と、“エンベッドプロファイル利用”ボタン８３２と、“出力解像度”数値ボックス８３３と、“出力プロファイル”ボタン８３４とで構成されている。
【００９５】
“入力プロファイル”ボタン８３１は、データ取得部により取得したページ記述データにおけるＧｒａｙ色空間で定義された画像に最適な入力プロファイルを選択するためのボタンである。この“入力プロファイル”ボタン８３１の右端の“▽印”をマウス操作によりクリックすると、選択可能な複数の項目が並んだリストボックスが表示される。
【００９６】
【表１３】
2004252866.tif 000015
【００９７】
表１３には、“入力プロファイル”ボタン８３１の右端の“▽印”をクリックすると表示されるリストボックスの一例が示されており、所望の入力プロファイルの項目をクリックすることによって、その項目が選択される。
【００９８】
以下、Ｇｒａｙパラメータ設定部８３０における“エンベッドプロファイル利用”ボタン８３２、“出力解像度”数値ボックス８３３、および“出力プロファイル”ボタン８３４の作用は、ＣＭＹＫパラメータ設定部８１０における“エンベッドプロファイル利用”ボタン８１６、“出力解像度”数値ボックス８１３、および“出力プロファイル”ボタン８１７の作用とそれぞれ同一であり、重複するため説明は省略する。
【００９９】
画像パラメータ設定部８０２は、以上のように構成されている。
【０１００】
イラストパラメータ設定部８０３は、イラストデータに施される色変換処理を表す色変換パラメータを設定するためのものである。イラストパラメータ設定部８０３と画像パラメータ設定部８０２は、ＣＭＹＫパラメータ設定部８４０と、ＲＧＢパラメータ設定部８５０と、Ｇｒａｙパラメータ設定部８６０の構成が同一であるが、イラストパラメータ設定部８０３には、画像パラメータ設定部８０２のＧｒａｙパラメータ設定部８３０の下に備えられている各項目（８０２＿１〜８０２＿７）に相当する項目が備えられていない。
【０１０１】
すなわち、イラストパラメータ設定部８０３のＣＭＹＫパラメータ設定部８４０は、“入力プロファイル”ボタン８４１、“レンダリングインテント”ボタン８４２、“出力解像度”数値ボックス８４３、“Ｋ版保存”チェックボックス８４４、“０〜４次色保存”ボタン８４５、“エンベッドプロファイル利用”ボタン８４６、および“出力プロファイル”ボタン８４７で構成されており、ＲＧＢパラメータ設定部８５０は、“入力プロファイル”ボタン８５１、“レンダリングインテント”ボタン８５２、“出力解像度”数値ボックス８５３、“エンベッドプロファイル利用”ボタン８５４、および“出力プロファイル”ボタン８５５で構成されており、Ｇｒａｙパラメータ設定部８６０は、入力プロファイル”ボタン８６１、“エンベッドプロファイル利用”ボタン８６２、“出力解像度”数値ボックス８６３、および“出力プロファイル”ボタン８６４で構成されている。これら各項目の作用は、上記で説明した、画像パラメータ設定部８０２を構成している各項目の作用において、画像および画像データをイラストおよびイラストデータに換えたものと同じであるため、説明は省略する。
【０１０２】
また、テキストパラメータ設定部８０４は、文字データに施される色変換処理を表す色変換パラメータを設定するためのものである。テキストパラメータ設定部８０４は、画像パラメータ設定部８０２およびイラストパラメータ設定部８０３と同様に、ＣＭＹＫパラメータ設定部８７０と、ＲＧＢパラメータ設定部８８０と、Ｇｒａｙパラメータ８９０を備えているが、それらの中に、“出力解像度”数値ボックス（８１３，８２３，８３３，８０２＿７，８４３，８５３，８６３）に対応する項目が用意されておらず、さらに、画像パラメータ設定部８０２のＧｒａｙパラメータ設定部８３０の下に備えられている各項目（８０２＿１〜８０２＿７）に相当する項目が備えられていない。
【０１０３】
すなわち、テキストパラメータ設定部８０４のＣＭＹＫパラメータ設定部８７０は、“入力プロファイル”ボタン８７１、“レンダリングインテント”ボタン８７２、“出力プロファイル”ボタン８７３、“Ｋ版保存”チェックボックス８７４、“０〜４次色保存”ボタン８７５、および“エンベッドプロファイル利用”ボタン８７６で構成されており、ＲＧＢパラメータ設定部８５０は、“入力プロファイル”ボタン８８１、“レンダリングインテント”ボタン８８２、“出力プロファイル”ボタン８８３、および“エンベッドプロファイル利用”ボタン８８４で構成されており、Ｇｒａｙパラメータ設定部８６０は、“入力プロファイル”ボタン８９１、“エンベッドプロファイル利用”ボタン８９２、および“出力プロファイル”ボタン８９３とで構成されている。これら各項目の作用は、上記で説明した、画像パラメータ設定部８０２の各項目の作用において、画像および画像データを文字および文字データに換えたものと同じであるため、説明は省略する。図６の設定画面８００の各項目は、本発明にいう色変換パラメータの一例に相当する。
【０１０４】
図６の設定画面８００に従い、オペレータが画像データ用、文字データ用、イラストデータ用それぞれの色変換パラメータを指定すると、図４の色変換処理設定部７４０は、指定された色変換パラメータを色変換部７２０に送る。
【０１０５】
色変換部７２０は、要素分類部７１０から送られてきた要素データに、その要素データに付加されている種類情報が画像データの場合には画像データ用の色変換パラメータに基づき、文字データの場合には文字データ用の色変換パラメータに基づき、イラストデータの場合にはイラストデータ用の色変換パラメータに基づいて、色変換処理を施す。図５の例では、要素データのうち、要素４１を表す画像データには画像データ用の色変換パラメータに基づき、要素４２を表す文字データには文字データ用の色変換パラメータに基づき、要素４３を表すイラストデータにはイラストデータ用の色変換パラメータに基づいて色変換処理が施される。色変換処理が施された要素データは、データ出力部７３０に送られる。
【０１０６】
データ出力部は、色変換部７２０から色変換処理が施された要素データが送られてくると、それらの要素データによって構成されるページデータを生成する。このページデータは、このままのデータ形式では図１のプリンタ６００，６１０，６２０で出力することができないため、ＲＩＰ３００，３１０に送られて、ＲＩＰ３００，３１０でページデータがビットマップデータに変換される。このビットマップデータは、プリンタ６００，６１０，６２０に出力されて、ビットマップデータに基づいて出力画像が作成される。
【０１０７】
このように、本実施形態の色変換装置７００は、要素データを画像データ、文字データ、およびイラストデータに分類し、それぞれに適した色変換パラメータを設定して、その色変換パラメータに従って色変換処理を行うため、精度よく色変換処理を施すことができる。
【０１０８】
以上で、本発明の第１実施形態の説明を終了し、次に、本発明の第２実施形態の色変換装置について説明する。この第２実施形態は、図４に示す第１実施形態の構成と同様な構成を有するが、色変換処理設定部において設定される色変換処理の設定内容が異なる。図４は、第１実施形態の色変換装置７００を示す図であるが、この図４を第２実施形態でも使用し、第１実施形態との相違点のみ説明する。
【０１０９】
図４において、要素分類部は、第１実施形態の要素分類部７１０と同様に、ページデータ中の各要素データを、画像データ、文字データ、およびイラストデータの３種類に分類し、要素データに種類情報を付加して色変換部に送る。
【０１１０】
図７は、本実施形態において、図１の表示画面１０２ａ上に表示される設定画面を示す図である。
【０１１１】
図７に示す設定画面９００には、図６の設定画面８００と同一の“色変換エンジン”ボタン８０１と、画像パラメータ設定部８０２と、テキストパラメータ設定部８０４とが示されているが、図６の設定画面８００のイラストパラメータ設定部８０３が備えられていない。その代わりに、図７の設定画面９００には、“イラストを画像として色変換”チェックボックス９０１が用意されている。
【０１１２】
オペレータは、画像データに施される色変換処理を表す色変換パラメータを、図７の画像パラメータ設定部８０２において設定し、文字データに施される色変換処理を表す色変換パラメータを、図７のテキストパラメータ設定部８０４において設定し、さらに、イラストデータに「画像データ」と同じ色変換処理を施す場合には、“イラストを画像として色変換”チェックボックス９０１をクリックしてチェックし、イラストデータに「文字データ」と同じ色変換処理を施す場合には、“イラストを画像として色変換”チェックボックス９０１のチェックをはずす。
【０１１３】
オペレータによって“イラストを画像として色変換”チェックボックス９０１がチェックされると、図４に示す色変換処理設定部は、イラストデータに画像データ用の色変換パラメータを対応付け、“イラストを画像として色変換”チェックボックス９０１がチェックされない場合には、イラストデータに文字データ用の色変換パラメータを対応付ける。また、色変換処理設定部は、画像データ用の色変換パラメータと、文字データ用の色変換パラメータと、イラストデータに「画像データ用」あるいは「文字データ用」色変換パラメータのどちらを適用するかというイラスト情報を色変換部に送る。
【０１１４】
色変換部は、第１実施形態の色変換部７２０と同様に、要素分類部から送られてきた要素データに、その要素データの種類に対応する色変換パラメータに基づいて、色変換処理を施す。尚、要素データがイラストデータであった場合には、色変換処理設定部から送られてきたイラスト情報に基づいて、画像データ用あるいは文字データ用色変換パラメータを使って色変換処理を行う。色変換処理が施された要素データは、第１実施形態と同様に、データ出力部に送られ、それらの要素データによって構成されたページデータが生成される。
【０１１５】
このように、本実施形態の色変換装置によると、イラストを画像として扱うか、テキストとして扱うかを選択的に設定することにより、その設定に合わせた色変換処理をイラストデータに施すことができる。
【０１１６】
なお、上記説明では、本発明にいう要素分類部の一例として、要素データを画像データ、テキストデータ、およびイラストデータの３種類に分類する要素分類部が示されているが、本発明にいう要素分類部は、それらの３種類を含んでいれば、要素データを４種類以上に分類するものであってもよい。
【０１１７】
また、上記説明では、本発明にいう色変換処理設定部の一例として、要素データが分類される３種類それぞれに対応する色変換処理を設定する色変換処理設定部が示されているが、本発明にいう色変換処理設定部は、少なくともイラストデータに施される色変換処理を設定するものであれば、画像データおよび文字データに対応する色変換処理は予め用意しておき、オペレータが設定しないものであってもよい。
【０１１８】
また、上記説明では、本発明にいう色変換処理設定部の一例として色変換処理として色変換パラメータを設定する色変換処理設定部が示されているが、本発明にいう色変換処理設定部は色変換パラメータに限らず、例えば、色変換処理を表す関数などを設定するものであってもよい。
【０１１９】
【発明の効果】
以上説明したように、本発明によれば、ページに含まれている要素に、精度よく色変換処理を施すことができる色変換装置、および色変換プログラムを提供することができる。
【図面の簡単な説明】
【図１】本発明の一実施形態が適用された画像処理システムの全体構成図である。
【図２】図１に示すＤＴＰサーバのハードウェア構成図である。
【図３】本発明の色変換プログラムの一実施形態が記憶されたＣＤ−ＲＯＭを示す概念図である。
【図４】本発明の色変換装置の一実施形態の色変換装置の機能ブロック図である。
【図５】オペレータによって編集されたページを示す図である。
【図６】図１の表示画面上に表示される設定画面を示す図である。
【図７】図１の表示画面上に表示される設定画面を示す図である。
【符号の説明】
１０    ＦＤ
２０    ＣＤ−ＲＯＭ
３０    色変換プログラム
３１    要素分類部
３２    色変換処理設定部
３３    色変換部
３４    データ出力部
４０    ページ
４１    要素
４２    要素
４３    要素
１００    ＤＴＰサーバ
１０１    本体装置
１０１ａ    ＦＤ装填口
１０１ｂ    ＣＤ−ＲＯＭ装填口
１０２    画像表示装置
１０２ａ    表示画面
１０３    キーボード
１０４    マウス
１１０    バス
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    通信インタフェース
２００，２１０，２２０    クライアントマシン
３００，３１０    ＲＩＰ
４００    スキャナ
５００    通信回線
６００，６１０，６２０    プリンタ
７００    色変換装置
７１０    要素分類部
７２０    色変換部
７３０    データ出力部
７４０    色変換処理設定部
８００    設定画面
８０１    色変換エンジンボタン
８０２    画像パラメータ設定部
８０２＿１    レンジ補正チェックボックス
８０２＿２    シャープネス強度ボタン
８０２＿３    コントーン圧縮方法ボタン
８０２＿４    コントーン圧縮率ボタン
８０２＿５    ビットマップ圧縮方法ボタン
８０２＿６    解像度変換方法ボタン
８０２＿７    出力解像度数値ボックス
８０３    イラストパラメータ設定部
８０４    テキストパラメータ設定部
８１０    ＣＭＹＫパラメータ設定部
８１１    入力プロファイルボタン
８１２    レンダリングインテントボタン
８１３    出力解像度数値ボックス
８１４    Ｋ版保存チェックボックス
８１５    ０〜４次色保存ボタン
８１６    エンベッドプロファイル利用ボタン
８１７    出力プロファイルボタン
８２０    ＲＧＢパラメータ設定部
８２１    入力プロファイルボタン
８２２    レンダリングインテントボタン
８２３    出力解像度数値ボックス
８２４    エンベッドプロファイル利用ボタン
８２５    出力プロファイルボタン
８３０    Ｇｒａｙパラメータ設定部
８３１    入力プロファイルボタン
８３２    エンベッドプロファイル利用ボタン
８３３    出力解像度数値ボックス
８３４    出力プロファイルボタン
８４０    ＣＭＹＫパラメータ設定部
８４１    入力プロファイルボタン
８４２    レンダリングインテントボタン
８４３    出力解像度数値ボックス
８４４    Ｋ版保存チェックボックス
８４５    ０〜４次色保存ボタン
８４６    エンベッドプロファイル利用ボタン
８４７    出力プロファイルボタン
８５０    ＲＧＢパラメータ設定部
８５１    入力プロファイルボタン
８５２    レンダリングインテントボタン
８５３    出力解像度数値ボックス
８５４    エンベッドプロファイル利用ボタン
８５５    出力プロファイルボタン
８６０    Ｇｒａｙパラメータ設定部
８６１    入力プロファイルボタン
８６２    エンベッドプロファイル利用ボタン
８６３    出力解像度数値ボックス
８６４    出力プロファイルボタン
８７０    ＣＭＹＫパラメータ設定部
８７１    入力プロファイルボタン
８７２    レンダリングインテントボタン
８７３    出力プロファイルボタン
８７４    Ｋ版保存チェックボックス
８７５    ０〜４次色保存ボタン
８７６    エンベッドプロファイル利用ボタン
８８０    ＲＧＢパラメータ設定部
８８１    入力プロファイルボタン
８８２    レンダリングインテントボタン
８８３    出力プロファイルボタン
８８４    エンベッドプロファイル利用ボタン
８９０    Ｇｒａｙパラメータ設定部
８９１    入力プロファイルボタン
８９２    エンベッドプロファイル利用ボタン
８９３    出力プロファイルボタン
【図１】
2004252866.tif 000016
【図２】
2004252866.tif 000017
【図３】
2004252866.tif 000018
【図４】
2004252866.tif 000019
【図５】
2004252866.tif 000020
【図６】
2004252866.tif 000021
【図７】
2004252866.tif 000022